(57)【特許請求の範囲】
【請求項１】
ａ）ペットの健康に関する測定値を取得する携帯式センサーと、
ｂ）前記センサーが接続する給餌装置であって、前記給餌装置は、前記センサーから測定値を受信し、前記給餌装置は、はかり、容器、及び前記容器から前記はかりの上に配置されたボウルへとペットフードを分配するディスペンサを含み、前記給餌装置は餌消費データを生成し、前記給餌装置はインターネット接続を更に有する、給餌装置と、
ｃ）前記給餌装置に対して遠隔地にあるデータベースであって、前記給餌装置は前記測定値及び前記餌消費データを、前記インターネット接続を介して前記データベースに送信する、データベースと、を備え、
前記データベースは、複数のユーザーのそれぞれが互いに同じ種類の複数のペットの健康に関する測定値及び餌消費データにアクセスすることを可能にし、前記複数のペットは、当該ユーザーが飼っているペット及び他のユーザーが飼っているペットを含む、
システム。
【請求項２】
前記データベースは、前記データベースに記憶された情報を使用して、前記測定値及び前記餌消費データの分析を行うように構成され、前記データベースに記憶された前記情報は、科学的情報、前記ペットに関して従前に蓄積されたデータ、同じ種類のペットである他のペットに関して従前に蓄積されたデータ、及びこれらの組合せからなる群から選択される、請求項１に記載のシステム。
【請求項３】
前記給餌装置により給餌される前記ペットと同じ種類の少なくとも１つの他のペットに給餌する、前記データベースに対して遠隔地にある少なくとも１つの他の給餌装置を更に備え、
前記データベースは、前記他の給餌装置から前記他のペットの健康に関する測定値及び餌消費データを受信して集計し、前記他のペットの前記集計された測定値及び餌消費データを使用して、前記ペットの前記測定値及び前記餌消費データの分析を行うように構成されている、請求項２に記載のシステム。
【請求項４】
前記データベースは、前記測定値、前記餌消費データ、及び前記分析の結果のうちの少なくとも一部を提供するウェブサイトをホスティングし、前記データベースは、前記ウェブサイトへのユーザー入力に応じて、前記給餌装置にコマンドを送信するように構成されている、請求項２又は３に記載のシステム。
【請求項５】
前記測定値は、ある期間にわたって前記ペットが移動した距離、前記ペットのリアルタイムの体温、前記ペットのリアルタイムの血圧、前記ペットのリアルタイムの心拍数、及びこれらの組合せからなる群から選択される、請求項１に記載のシステム。
【請求項６】
ａ）給餌装置によって、ペットフード消費をローカルで自動的に測定し、ペットフード消費データを生成する工程と、
ｂ）前記給餌装置に接続された携帯式センサーによって、ペットのリアルタイムの健康及びウェルネス測定値をローカルで自動的に取得する工程であって、前記給餌装置が前記測定値を前記携帯式センサーから受信する、工程と、
ｃ）前記ペットフード消費データ、並びに前記リアルタイムの健康及びウェルネス測定値を、前記給餌装置からデータベースへと、インターネット接続を使用して送信する工程と、を含み、
前記データベースは、複数のユーザーのそれぞれが互いに同じ種類の複数のペットのリアルタイムの健康及びウェルネス測定値及びペットフードデータにアクセスすることを可能にし、前記複数のペットは、当該ユーザーが飼っているペット及び他のユーザーが飼っているペットを含む、方法。
【請求項７】
前記ペットフード消費データ、並びに前記リアルタイムの健康及びウェルネス測定値のうちの少なくとも一部が、前記データベースへと送信され、前記データベースは記憶された情報を使用して、前記ペットフード消費データ、並びに前記リアルタイムの健康及びウェルネス測定値の分析を行う、請求項６に記載の方法。
【請求項８】
前記データベースは、前記給餌装置により給餌される前記ペットと同じ種類の少なくとも１つの他のペットに給餌する、前記データベースに対して遠隔地にある少なくとも１つの他の給餌装置に接続するように更に構成されており、
前記方法は、前記データベースによって、前記他の給餌装置から前記他のペットのペットフード消費データ並びにリアルタイムの健康及びウェルネス測定値を受信して集計し、前記他のペットの前記集計された前記消費データ及び前記測定値を使用して、前記ペットの前記消費データ及び前記測定値の分析を行う工程を更に含む、請求項７に記載の方法。
【請求項９】
前記分析に基づいて前記データベースからメッセージを自動的に送信する工程を更に含む、請求項７又は８に記載の方法。
【請求項１０】
前記メッセージは、前記データベースから、前記給餌装置及び前記データベースに対して遠隔地にある、端末装置へと送信される、請求項９に記載の方法。
【請求項１１】
前記メッセージは、前記データベースから前記給餌装置へと送信される、請求項９に記載の方法。
【請求項１２】
前記データベースにより生成されて前記データベースから送信されたコマンドを、前記インターネットを使用して前記給餌装置に送信する工程を更に含み、前記給餌装置は、前記コマンドに応じてある量のペットフードを分配する、請求項６に記載の方法。
【請求項１３】
前記コマンドは、前記ある量のペットフードを特定する、請求項１２に記載の方法。
【請求項１４】
前記給餌装置は、前記給餌装置による前記コマンドの受信と実質的に同時に、前記ペットフードを分配する、請求項１２に記載の方法。
【請求項１５】
前記餌消費データは、ペットフードが消費された回数及び毎回の消費量を含む、請求項１に記載のシステム。
【請求項１６】
前記同じ種類のペットは、ペットの種、ペットの血統、ペットの年齢、ペットの体重、及びこれらの組合せからなる群から選択された基準を、少なくとも部分的に使用して判定される、請求項１に記載のシステム。
【請求項１７】
前記給餌装置は、
前記餌消費データを生成する前記はかりと、
ローカルの前記センサーから前記ペットの健康に関する測定値を受信するように構成された第１通信モジュールと、
前記ペットの前記餌消費データ及び前記健康に関する測定値を送信するための、前記インターネット接続を取得するように構成された、第２通信モジュールと、
前記データベースにより生成されて前記データベースから送信され、前記第２通信モジュールが受信するコマンドに応じてペットフードを分配するように構成された前記ディスペンサと、を更に備える、請求項１に記載のシステム。
【請求項１８】
前記給餌装置は、赤外線センサーを備える、請求項１７に記載のシステム。
【請求項１９】
前記給餌装置は、前記インターネット接続を使用して前記第２通信モジュールによって送信される、画像及びビデオのうちの少なくとも一方をキャプチャする、カメラを備える、請求項１７に記載のシステム。
【請求項２０】
前記給餌装置は、前記第２通信モジュールが受信するコマンドに応じて音声を再生するスピーカーを備える、請求項１７に記載のシステム。
【発明の詳細な説明】
【技術分野】
【０００１】
[0001]本開示は一般的に、ペットの飼い主がリモートでペットを監視し、餌を与えることを可能にする、システム、方法、及び給餌装置に関する。より具体的には、本開示は、ペットの飼い主の末端装置と通信する、給餌装置及びクラウドデータベースを含むシステムに関する。
【背景技術】
【０００２】
[0002]ペットは家族の一員としてみなされることが多く、典型的にはこれらの健康及びウェルネスは、飼い主にとって非常に重要である。しかしながら、ペットの健康及びウェルネスを常に監視し、規則正しく、推奨されるかたちで、予め決められた方法により餌を与えることは、殆どのペットの飼い主にとって困難であり、不便である。例えば、ペットの飼い主は、仕事及び他の目的のためにますます家から離れる多くなっており、家から離れている飼い主は、特定の時間にそのペットが食べることができる餌の特定の量を制御する能力を持たない。
【発明の概要】
【発明が解決しようとする課題】
【０００３】
[0003]ペット用給餌皿は市販されているが、これらの皿は典型的には、長期にわたりペットに餌を与えるという問題に対処していない。例えば、殆どの給餌皿は、ペットの飼い主が不在の間に、何度も連続して餌を与えるためのメカニズムを有さない。いくつかの既知の給餌装置は、ペットのトレーニング、給餌、給水などのために異なる機能を有するが、これらの装置は、基本的なプログラミング機能のみを有し、給餌システムの一方向的な制御（すなわち、装置と一体化したインターフェースへのユーザーによる入力）のみを行う。更に、これらの給餌装置は、飼い主が家にいないとき（特に長期にわたり）、ペットがその食習慣を変えることがあるという問題を解決しない。例えば、一部のペットは、ペットの飼い主が不在のときに、食べる量が減るか、全く食べないことがある。したがって、これらの装置は、ペット及びその飼い主の高まるニーズに応えず、その間の相互作用を可能にしない。
【課題を解決するための手段】
【０００４】
[0004]本開示は、遠隔地のペットの飼い主の端末装置が、給餌装置と直接及び／又は間接的に通信することを可能にする、システム、給餌装置、及び方法を提示する。給餌装置は、ペットを監視及び／又は給餌することができる。例えば、給餌装置の構成要素は、ペットにより着用され、給餌装置と通信するセンサーと共に、ペットを監視することができる。クラウドデータベースは、給餌装置から送信された健康及びウェルネス情報、及び餌の消費データを蓄積及び評価してもよく、ペットの飼い主の端末装置と双方向的に通信してもよい。給餌装置はまた、１つ以上の無線接続を使用して直接的に、又はクラウドデータベースを使用して間接的に、ペットの飼い主の端末装置と双方向的に通信することができる。
【０００５】
[0005]したがって、一実施形態において、本開示は、ペットの健康に関する測定値を取得する携帯式センサーと、センサーが接続される給餌装置とを含むシステムを提示し、給餌装置は、センサーから測定値を受信し、給餌装置は、はかり、容器、及び容器からはかりに関連するボウルへとペットフードを分配するディスペンサを含み、給餌装置は餌消費データを生成し、給餌装置はインターネット接続を更に含む。
【０００６】
[0006]関連する実施形態において、システムは、給餌装置に対して遠隔地にあるデータベースを更に含み、給餌装置は測定値及び餌消費データを、インターネット接続を介してデータベースに送信する。データベースは、データベースに記憶された情報を使用して、測定値及び餌消費データの分析を行うように構成され得、データベースに記憶された情報は、科学的情報、ペットに関する従前に蓄積されたデータ、同じ種類のペットである他のペットに関する従前に蓄積されたデータ、及びこれらの組合せからなる群から選択される。データベースは、測定値、餌消費データ、及び分析の結果のうちの少なくとも一部を提供するウェブサイトをホスティングする場合があり、データベースは、ウェブサイトへのユーザー入力に応じて、給餌装置にコマンドを送信するように構成されている。
【０００７】
[0007]関連する実施形態において、測定値は、ある期間にわたってペットが移動した距離、ペットのリアルタイムの体温、ペットのリアルタイムの血圧、ペットのリアルタイムの心拍数、及びこれらの組合せからなる群から選択される。
【０００８】
[0008]別の実施形態では、方法が提示される。方法は、ペットフード消費をローカルで自動的に測定してペットフード消費データを生成する工程と、リアルタイムのペットの健康及びウェルネス測定値をローカルで、自動的に取得する工程と、ペットフード消費データ及びリアルタイム健康及びウェルネス測定値を、給餌装置から遠隔地の装置へと、インターネット接続を使用して送信する工程とを含む。
【０００９】
[0009]関連する実施形態において、ペットフード消費データ、並びにリアルタイムの健康及びウェルネス測定値のうちの少なくとも一部が、遠隔地のデータベースへと送信され、これは記憶された情報を使用して、ペットフード消費データ、並びにリアルタイムの健康及びウェルネス測定値の分析を行う。方法は、分析に基づいてデータベースからメッセージを自動的に送信する工程を更に含み得る。メッセージは、データベースから、給餌装置及びデータベースに対して遠隔地にある端末装置へと送信され得る。メッセージは、データベースから給餌装置へと送信され得る。
【００１０】
[0010]関連する実施形態において、方法は、インターネットを使用してコマンドを給餌装置に送信する工程を更に含み、給餌装置は、コマンドに応じてある量のペットフードを分配する。コマンドは、ある量のペットフードを特定することができる。給餌装置は、給餌装置によるコマンドの受信と実質的に同時に、ペットフードを分配することができる。
【００１１】
[0011]別の実施形態では、システムが提示される。システムは、ペットの健康及びウェルネスに関するデータを自動的に受信し、データベースにデータを提供する、複数のコンピューターを含み、データベースは、ユーザーが互いに同じ種類のペットであるペットのデータにアクセスすることを可能にする。
【００１２】
[0012]関連する実施形態において、システムは、ペットに関連する新しいデータをデータベースへと送信する給餌装置を更に含み、データベースは同じ種類のペットであるペットのデータを使用して、新しいデータの分析を行う。
【００１３】
[0013]関連する実施形態において、データは、ある期間にわたって移動した距離、リアルタイムの体温、リアルタイムの血圧、リアルタイムの心拍数、及びこれらの組合せからなる群から選択された、測定値を含む。
【００１４】
[0014]関連する実施形態において、データは、ペットフードが消費された回数、及び毎回の消費量を含む、餌消費データを含む。
【００１５】
[0015]関連する実施形態において、同じ種類のペットは、ペットの種、ペットの血統、ペットの年齢、ペットの体重、及びこれらの組合せからなる群から選択された基準を、少なくとも部分的に使用して判定される。
【００１６】
[0016]別の実施形態では、給餌装置が提示される。給餌装置は、ペットフード消費データを生成するためにプロセッサに接続されたはかりと、プロセッサに接続され、ローカルのセンサーからリアルタイムの健康及びウェルネス測定値を受信するように構成された第１通信モジュールと、プロセッサに接続され、ペットフード消費データ、及びリアルタイムのペットの健康及びウェルネス測定値を送信するためのインターネット接続を取得するように構成された、第２通信モジュールと、プロセッサに接続され、第２通信モジュールにより受信されるコマンドに応じてペットフードを分配するように構成されたディスペンサとを含む。
【００１７】
[0017]関連する実施形態において、給餌装置が、プロセッサに接続される赤外線センサーを含む。
【００１８】
[0018]関連する実施形態において、給餌装置は、プロセッサと接続され、インターネット接続を使用して第２通信モジュールによって送信される、画像及びビデオのうちの少なくとも一方をキャプチャする、カメラを含む。
【００１９】
[0019]関連する実施形態において、給餌装置は、第２通信モジュールにより受信されるメッセージに応じて音声を再生するスピーカーを含む。
【００２０】
[0020]本開示の利点は、ペットの活動及び健康を監視し、この情報を使用して、ペットの最適なニーズに従ってペットに給餌することである。
【００２１】
[0021]本開示の別の利点は、遠隔地のペットの飼い主と、ペットの相互作用を可能にし、ペットの給餌の必要性を特定し、科学的な給餌規則、及びペットに関する過去の情報に基づいてペットに給餌することである。
【００２２】
[0022]本開示の更に別の利点は、飼い主により、その場で、リモートで、既定の時間で、又はリアルタイムで、少なくとも部分的にプログラミングに基づいて、ペットに給餌することである。
【００２３】
[0023]本開示の更に別の利点は、センサーを用いてペットの活動及び健康状態に関するデータをローカルで収集し、センサーから給餌装置へとデータを送信し、その後給餌装置からクラウドデータベース及び／又は遠隔地の端末装置へとデータを送信することである。
【００２４】
[0024]本開示の追加的な利点は、科学的情報を使用して、ペットの活動及び体調に関するデータをリモートで分析し、その後適切なコマンドを給餌装置に送信し、餌の種類、量、及び給餌時間に関してペットの最も好適な給餌を案内することである。
【００２５】
[0025]本開示の別の利益は、人間と、動物と、機械との間の固有の相互作用又はメカニズムを使用することである。
【００２６】
[0026]本開示の更に別の利点は、最適なサービスを提供するために、ペットの消費者クラブを形成することである。
【００２７】
[0027]本開示の更に別の利点は、各ペットの個別の健康及びウェルネス、活動プロファイル、及び食事プロファイルを保守することである。
【００２８】
[0028]本開示の更に別の利点は、カスタマイズした給餌プログラムを使用してペットの健康及びウェルネスを達成することである。
【００２９】
[0029]本開示の更に別の利点は、遠隔地のペットの飼い主が、リアルタイムのペットの健康及びウェルネスデータを取得することを可能にすることである。
【００３０】
[0030]本開示の更なる利点は、遠隔地のペットの飼い主が、ペットの給餌に関する決定を行い、ペットの飼い主の端末装置からコマンドを受信するローカルの給餌装置に、給餌に関する決定を行わせるのを、可能にすることである。
【００３１】
[0031]本開示の別の利点は、予め録音された音声クリップを再生して、ペットに安心と喜びをもたらすことによって、ペットの食事を促進することである。
【００３２】
[0032]本開示の更に別の利点は、遠隔地のペットの飼い主が、給餌装置と無線接続する電話を使用して、ペットと話すことを可能にすることである。
【００３３】
[0033]本開示の更に別の実施形態は、ペットの飼い主が、ペットとビデオチャットすることを可能にすることである。
【００３４】
[0034]本開示の更なる利点は、遠隔地のペットの飼い主が、ローカルの給餌装置により分配されるペットフードの種類を選択することを可能にすることである。
【００３５】
[0035]本開示の別の利点は、遠隔地のペットの飼い主が、ローカルの給餌装置から水を分配することを可能にすることである。
【００３６】
[0036]追加の特徴及び利点は、以降の発明の詳細な説明及び図面に記載され、これにより明らかとなろう。
【図面の簡単な説明】
【００３７】
【図１】本開示により提示される、監視及び給餌システムの実施形態を例示する。
【図２】本開示により提示される、監視及び給餌システムの実施形態の概略図である。
【図３】本開示により提示される、監視及び給餌システムの実施形態を例示する。
【図４】本開示により提示される、ウェブインタフェースの実施形態を例示する。
【発明を実施するための形態】
【００３８】
[0041]用語「クラウドデータベース」は、例えば、クラウドデータベースによりホスティングされるウェブサイト、及び／又はクラウドデータベースに関連するウェブサイトを使用して、インターネットを介してアクセスすることができるコンテンツを受信、記憶、処理、及び配信する、ハードウェア（例えば、コンピューター）及び／又はソフトウェア（例えば、コンピューターアプリケーション）を意味する。
【００３９】
[0042]用語「ペット」とは、監視及び給餌され得るいずれかの動物を意味する。ペットは、鳥類、ウシ、ウマ、ネコ、ヤギ、オオカミ、ネズミ、ヒツジ、ブタなどの動物であり得る。ペットは、任意の好適な動物であり得、本開示は、特定のペット動物に限定されない。用語「コンパニオンアニマル」とは、犬又はネコを意味する。
【００４０】
[0043]用語「ペットフード」及び「餌」は、ペットが消費し得るいずれかの組成物を意味する。一実施形態において、ペットフードは水であり得る。
【００４１】
[0044]用語「リモートで」及び「ローカルで」は、ペットが位置する環境を指し示す。好ましくは「ローカルで」とは、家庭内又は住宅内の環境を指すが、本開示は、ペットが位置する特定の位置に限定されない。
【００４２】
[0045]用語「自動的に」とは、ユーザー入力が必要でないことを意味する。「自動的に」行われる動作は、対応する装置による１つ以上の動作を含む場合があるが、各動作は、ユーザー入力を必要とせずに行われる。
【００４３】
[0046]用語「単一のパッケージ」とは、きっとの構成要素が、１つ以上の容器内にあるか、又はこれと関連しており、製造、流通、販売、又は使用にあたってユニットとして考えられることを意味している。容器とは、袋、箱、カートン、ボトル、任意の種類、設計、若しくは材料のパッケージ、オーバーラップ、収縮性ラップ、固定された構成要素（例えば、ステープリング、接着されたものなど）、又はこれらの組合せが挙げられるがこれらに限定されない。単一のパッケージは、物理的に関連する個別の構成要素の容器であり、よってこれらは、製造、流通、販売、又は使用にあたってユニットとして考えることができる。
【００４４】
[0047]用語「仮想的パッケージ」とは、キットの構成要素が、ユーザーに対して他の構成要素を得る方法を指示する１つ以上の物理的又は仮想的キット構成要素と関連していることを意味している（例えば、１つの構成要素と、ユーザーに対してウェブサイトを見る、記録メッセージ若しくはＦＡＸ送信サービスとコンタクトする、視覚的メッセージを見る、又はインストラクターに連絡することにより、キットの使用方法、又はキットの１つ以上の構成要素に関する安全若しくは技術的情報を取得するよう指示する、コマンドとを含む、袋又は他の容器）。
【００４５】
[0048]本明細書及び貼付の請求項で使用するとき、文脈により明確に記載のない限り、単語の単数形には複数形が包含され、逆に複数形には単数形が包含される。したがって、「ａ」、「ａｎ」及び「ｔｈｅ」の言及には、概してそれぞれの用語の複数形が包含される。例えば、「測定装置」又は「方法」は、複数のこのような「測定装置」又は「方法」を指し示す。同様に、用語「含む（comprise）」、「含む（comprises）」、及び「含んでいる（comprising）」は、排他的にではなく、包括的に解釈される。同様にして、用語「含有する（include）」、「含有する（including）」及び「又は（or）」は、このような解釈が文脈から明確に妨げられない限りは包括的なものであると解釈される。しかし、本開示により提示される実施形態は、本明細書にて具体的に開示されない任意の要素を欠く場合がある。したがって、用語「含む（comprising）」を用いて提示される実施形態の開示は、開示される構成要素「から本質的になる」、及び「からなる」実施形態の開示でもある。本明細書において使用されるとき、用語「例（examples）」は、特に、後に用語の掲載が続く場合に、単に例示的なものであり、かつ説明のためのものであり、排他的又は包括的なものであると判断すべきではない。
【００４６】
[0049]本開示は一般的に、ペットの飼い主がリモートでペットを監視し、餌を与えることを可能にする、システム、方法、及び給餌装置を対象とする。例えば、遠隔ペット監視及び給餌システムは、インターネットを使用してペットの健康に関するデータ、ペットの餌の要求、及び消費されたペットフードの量に関するリアルタイムのデータを提供することができ、ペットの飼い主がペットフードを、給餌ボウルに分配するようにリモートで指示することを可能にし得る。クラウドデータベースなどの遠隔ウェブサーバーは、リアルタイムデータを分析し、分析に基づいて給餌に関する決定を行い、及び／又はペットの飼い主へと提案を行うことができる。ペットの飼い主は、ウェブサイトにアクセスすることによってウェブサーバーに容易に接続することができる。
【００４７】
[0050]図１に例示される実施形態において、本開示は、ペットの飼い主１２がペット１１を監視し、給餌することを可能にする、遠隔ペット監視及び給餌システム１０（以降、「システム１０」）を提示する。システム１０はセンサー２１を含み、好ましくはセンサー２１は、センサー２１がペット１１により着用できるように、携帯式である。例えば、センサー２１は、ペット１１が着用する首輪の構成要素であってもよく、及び／又はペット１１が着用する首輪に取り付けられるように構成されてもよい。
【００４８】
[0051]センサー２１は、ペット１１に関するリアルタイムの健康及びウェルネスを自動的に取得することができる。例えば、センサー２１は、ある期間にわたりペット１１により動かされる距離を測定することができる。別の実施例として、センサー２１は、例えば、ペット１１のリアルタイムの体温、ペット１１のリアルタイムの血圧、及び／又はペット１１のリアルタイムの心拍数など、ペット１１のリアルタイムの体調を測定することができる。この点において、センサー２１は、運動センサー、ＧＰＳモジュール、温度センサー、血圧センサー、又は心拍数モニターのうちの少なくとも１つを含む場合がある。センサー２１は、センサー２１が、ペット１１に関するリアルタイムの健康及びウェルネスの測定値を給餌装置２２へと送信するために、無線接続３１を使用して給餌装置２２と通信することができる。
【００４９】
[0052]システム１０は、ペットフードを保持するための給餌ボウル、及び給餌ボウルに関連するはかりを含む、給餌装置２２を更に含む。以降に詳細に記載されるように、給餌装置２２は、給餌装置２２に保存される、ある量のペットフードを分配することができる。給餌装置２２は、給餌装置２２と一体である入力装置へのユーザー入力など、給餌装置２２への手動入力に対する応じてのみ給餌装置２２がペットフードを分配する、手動モードで動作するように設定され得る。給餌装置２２は、給餌プログラム及び／又はリモートで生成されるコマンドにより、給餌装置２２がペットフードを分配する、プログラム可能モードで動作するように設定され得る。給餌プログラム及び／又はリモートで生成されるコマンドは、日にち、時刻、ペットフードの種類、又は量のうちの少なくとも１つである、給餌パラメータを指定することができる。
【００５０】
[0053]給餌装置２２は、ある期間にわたってペット１１が消費するペットフードの量を、この期間にわたる給餌ボウルの重量の減少を判定することにより自動的に判定し、対応する餌消費データを生成することができる。プロセッサ２２４は、例えば、赤外線センサーを使用して、ペット１１がどのくらいの頻度で給餌装置２２に近づくかに基づき、食欲に関するデータを自動的に生成することができる。一実施形態において、ペットの飼い主１１は、単一のパッケージ又は仮想パッケージなど、キットとして、給餌装置２２と共にセンサー２１を購入することができる。
【００５１】
[0054]給餌装置２２は、無線接続３２を使用して、センサー２１から受信したリアルタイムの健康及びウェルネス測定値を、ウェブサーバーを含むクラウドデータベース２３に自動的に送信してもよい。給餌装置２２は、給餌装置２２が測定値を受信する際に、及び／又は所定の時間間隔で、リアルタイムの健康及びウェルネス測定値をクラウドデータベース２３に送信することができる。給餌装置２２は、無線接続３２を使用して、餌消費データ、及び食欲データを、クラウドデータベース２３に送信することができる。無線接続３４は、双方向通信を可能にすることができ、クラウドデータベース２３は無線接続３４を使用して、問い合わせ及び／又はコマンドを給餌装置２２に送信することができる。無線接続３２はインターネット接続であり得る。
【００５２】
[0055]給餌装置２２は、無線接続３４を使用して、センサー２１から受信したリアルタイムの健康及びウェルネス測定値を、ペットの飼い主１２の端末装置２４へと自動的に送信することができる。給餌装置２２は、給餌装置２２が測定値を受信する際に、及び／又は所定の時間間隔で、リアルタイムの健康及びウェルネス測定値をクラウドデータベース２４に送信することができる。給餌装置２２は、無線接続３４を使用して、餌消費データ、及び食欲データを、ペットの飼い主１２の端末装置２４に送信することができる。無線接続３４は、双方向通信を可能にすることができ、例えば、端末装置２４は無線接続３４を使用して、問い合わせ及び／又はコマンドを給餌装置２２に送信することができる。ペットの飼い主１２の端末装置２４は、スマートフォン、ラップトップコンピューター、デスクトップパソコン、タブレット、又はパーソナルデジタルアシスタントのうちの少なくとも１つであり得る。無線接続３４はインターネット接続であり得る。
【００５３】
[0056]クラウドデータベース２３は、給餌装置２２から受信される、リアルタイムの健康及びウェルネス測定値、食欲データ、及び餌消費データを自動的に分析することができる。一実施形態において、クラウドデータベース２３は、センサー２３により判定される、ペット１１が移動した距離から、ペットの活動プロファイルを生成することができる。分析の結果として、クラウドデータベース２３は、カスタマイズされた給餌プログラムを提示することができる。例えば、クラウドデータベース２３は、カスタマイズされた給餌プログラムを生成、及び／又は先に確立された給餌プログラムを調節することができる。給餌プログラムは複数の給餌を指定することができ、各給餌は、日にち、時刻、ペットフードの種類、又は量のうちの少なくとも１つである給餌パラメータと関連し得る。一実施形態において、カスタマイズされた給餌プログラムは、ある期間にわたりペット１１が移動した距離、ペット１１のリアルタイムの体温、ペット１１のリアルタイムの血圧、及び／又はペット１１のリアルタイムの心拍数の１つ以上に、少なくとも部分的に基づくことがある。
【００５４】
[0057]分析はまた、クラウドデータベース２３に記憶された情報を使用することができ、カスタマイズされた給餌プログラムは、記憶された情報に少なくとも部分的に基づくことがある。記憶された情報は、ペット１１に対応するペットの種類に関連する科学的情報を含む場合があり、科学的情報は科学的な給餌ルールを含む場合がある。ペットの種類は、犬又はネコなどの種、ペットの血統、ペットの年齢、及び／又はペットの体重を含む場合がある。追加的に、又は代替的に、記憶された情報は、ペット１１に関して従前に蓄積されたデータ、例えば、前の健康及びウェルネス測定値、餌消費データ、及び／又は食欲データ（特にペット１１に関連する）を含む場合がある。
【００５５】
[0058]カスタマイズされた給餌プログラムに基づく給餌コマンドは、ペットの飼い主１２の端末装置２４からの入力なしに、クラウドデータベース２３から給餌装置２２へと自動的に送信されてもよい。あるいは、又は加えて、カスタマイズされた給餌プログラムに基づく給餌推奨は、クラウドデータベース２３からペットの飼い主１２の端末装置２４へと自動的に送信されてもよい。コマンド又は推奨はそれぞれ、日にち、時刻、ペットフードの種類、又は量のうちの少なくとも１つである、給餌パラメータを指定することができる。給餌装置２２は、コマンドに従ってペットフードを分配することによってコマンドを実行することができる。端末装置２４へのユーザー入力は、推奨をアクセプトすることができ、この推奨のアクセプトに応じて、給餌装置２２は、推奨に従ってペットフードを分配し推奨を実行することができる。推奨のアクセプトは、端末装置２４から給餌装置２２へ直接、又はクラウドデータベース２３を介して間接的に送信され得る。
【００５６】
[0059]クラウドデータベース２３は、無線接続３３を使用して、ペットの飼い主１２の端末装置２４と通信することができる。例えば、クラウドデータベース２３は、無線接続３３を使用して、リアルタイムの健康及びウェルネス測定値、餌消費データ、及びその分析の結果を、ペットの飼い主１２の端末装置２４へと提供することができる。クラウドデータベース２３は、無線接続３３を使用して、端末装置２４に給餌推奨を提供することができる。クラウドデータベース２３は、テキストメッセージ、ＳＭＳメッセージ、ボイスメールメッセージ、Ｅメールなどを使用して、端末装置２４と通信することができる。一実施形態において、ペットの飼い主１２の端末装置２４は、リアルタイムの健康及びウェルネス、餌消費データ、及びその分析を、例えば、クラウドデータベース２３にホスティングされるウェブサイトにアクセスするなど、インターネットにアクセスすることによって取得することができる。
【００５７】
[0060]無線接続３４は、双方向通信を可能にすることができ、クラウドデータベース２３は無線接続３３を使用して、問い合わせ及び／又はコマンドをペットの飼い主１２の端末装置２４から受信することができる。無線接続３３はインターネット接続であり得る。クラウドデータベース２３は、無線接続３３を使用して、端末装置２４にウェブサイトを提供し、及び／又はウェブサイトを介して端末装置２４から入力を受信することができる。
【００５８】
[0061]クラウドデータベース２３の機能の例として、クラウドデータベース２３は、前３０日など、ある期間において毎日消費された量など、餌の消費の要約を提供することができる。したがって、ペットの飼い主１２は、給餌装置２２の位置にペットの飼い主１２が存在しなくても、ペット給餌履歴を知ることができる。クラウドデータベース２３は、ペットの飼い主１２が後に参照するため、並びに／又はクラウドデータベース２３が健康及びウェルネス測定値、食欲データ、及び餌消費データを分析するにあたって後に使用するため、餌消費の要約を記憶することができる。
【００５９】
[0062]クラウドデータベース２３の機能の別の実施例として、クラウドデータベース２３は、ペットフードが所定の閾値を超える期間にわたりペットフードが消費されないとき、又は既定の時間にわたって、消費されたペットフードの量が所定の閾値未満であるときに、ペットの飼い主１２に警告メッセージを送信することができる。クラウドデータベース２３の機能の更に別の実施例として、クラウドデータベース２３は、給餌装置２２、又は給餌装置２３の給餌ボウル内のペットフードが全て消費された場合、又は内部に残るペットフードの量が、所定の閾値未満であるときに、ペットの飼い主１２にこれを知らせることができる。クラウドデータベース２３は、ペットの飼い主１２の端末装置２４とのこのような通信のために、ＳＭＳ、メッセージ、ボイスメールメッセージ、Ｅメール、ウェブサイトなどを使用することができる。
【００６０】
[0063]クラウドデータベース２３の機能の更に別の例として、給餌装置２２は、ペット１１が給餌装置２２に近づく頻度を検出する赤外線センサーを含む場合がある。給餌装置２２に近づくペット１１は、ペット１１の食欲の指標であり得る。クラウドデータベース２３は、給餌装置２２から食欲データを受信し、ペットの飼い主１２の末端装置２４に食欲データデータを提供することができる。給餌装置２２は、カメラを含む場合があり、カメラからの写真は、クラウドデータベース２３により受信され、クラウドデータベース２３よってペットの飼い主１２の末端装置２４に提供され得る。
【００６１】
[0064]一実施形態において、クラウドデータベース２３は、ペットの飼い主１２以外のペットの飼い主の給餌装置、及び／又は端末装置など、追加的な装置２５と通信することができる。好ましくはクラウドデータベース２３は、インターネットを用いて追加的な装置２５と通信する。例えば、追加的な装置２５を有する他のペットの飼い主は、ペットの飼い主１２のペット１１と同じ種類のペットを買っている場合があり、同じ種類のペットを有するペットの飼い主は、消費者クラブを形成することができる。同じ種類のペットは、犬又はネコなどの種、ペットの血統、ペットの年齢、及び／又はペットの体重である基準に、少なくとも部分的に基づいて決定され得る。
【００６２】
[0065]クラウドデータベース２３は、追加的装置２５からの、この種類のペットのデータを集計し、かつ記憶することができる。クラウドデータベース２３は、集計したデータを使用して、同じ種類のペットを有するペットの飼い主を支援することができる。一実施形態において、クラウドデータベース２３による、ペット１１のリアルタイムの健康及びウェルネス測定値、食欲データ、及び餌消費データの分析は、同じ種類のペットである、他のペットの集計されたデータを使用することができる。例えば、クラウドデータベース２３による分析は、ペット１１と同じ種類のペットである、他のペットの、健康及びウェルネス測定値、食欲データ、及び／又は餌消費データを使用することができる。
【００６３】
[0066]末端装置２４は、無線接続３４を使用して、給餌装置２２に問い合わせ及び／又はコマンドを送信することができる。一実施形態において、給餌装置２２は、１つ以上の予め録音された音声録音を記憶することができ、かつ末端装置２２からのコマンドに応じて選択された音声録音を再生することができる。例えば、給餌装置２２は、ペットの飼い主１２の予め録音された音声録音を記憶することができ、音声録音を再生して給餌のために若いペットを呼び、訓練することができる。別の実施例として、給餌装置２２は、ペットの飼い主１２が端末装置２４に吹き込んだ音声を、実質的に同時的に再生してもよい。
【００６４】
[0067]図２は、システム１０の実施形態を概略的に例示する。図２に示されるように、ペットの飼い主１２の端末装置２４は、スマートフォンなどの携帯電話４１、ラップトップ若しくはデスクトップパソコン４２、タブレット４３、又はパーソナルデジタルアシスタント４４のうちの少なくとも１つであり得る。これらの装置は、給餌装置２２及び／又はクラウドデータベース２３と双方向的通信することができる。本開示は、ペットの飼い主１１の端末装置２４の特定の実施形態に限定されず、端末装置２４は、インターネットにアクセスしてウェブサイトを再生することができる任意の装置であり得る。
【００６５】
[0068]給餌装置２２は、ＧＲＰＳアンテナ２３２を含む、一般パケット無線サービス（「ＧＰＲＳ」）モジュール２３１を含む場合がある。あるいは、又は加えて、給餌装置２２は、Ｗｉ−Ｆｉ（登録商標）アンテナ２３０を含むＷｉ−Ｆｉモジュール２２７を含み得る。ＧＰＲＳモジュール２３１、及び／又はＷｉ−Ｆｉモジュール２２７は、給餌装置２２がインターネットと接続して、端末装置２４と双方向的に通信する、及び／又はクラウドデータベース２３と双方向的に通信することを可能にする場合がある。給餌装置２２は、プリント回路基板アセンブリなど、プロセッサ２２４を含み得る。ＧＰＲＳモジュール２３１、及び／又はＷｉ−Ｆｉモジュール２２７は、クラウドデータベース２３及び端末装置２４からプロセッサ２２４への通信を提供することができる。一実施形態において、給餌装置２２は、リアルタイム通信とみなされるように、頻繁に、例えば、およそ３０秒ごとに、クラウドデータベース２３と接続することができる。
【００６６】
[0069]センサー２１は、給餌装置２２と、直接かつ無線により、自動的に通信することができる。代わりに、又は加えて、センサー２１は、センサー２１からデータを受信し、データを給餌装置２２へと送信する、通信モジュール２６を使用して、給餌装置２２と間接的に通信することができる。一実施形態において、センサー２１及び／又は通信モジュール２６は、４３３ＭＨｚ周波数の電波を使用して、給餌装置２２にデータを送信する。例えば、給餌装置２２は、それにより給餌装置２２がセンサー２１からデータを受信し得る、４３３Ｍアンテナを含む４３３Ｍモジュール２２７を含む場合がある。プロセッサ２２４は、４３３Ｍモジュール２２７から、センサー２１からのデータなどのデータを受信することができる。一実施形態において、センサー２１は、リアルタイム通信とみなされるように、頻繁に、例えば、およそ３０秒ごとに、給餌装置２２と通信することができる。
【００６７】
[0070]給餌装置２２は、給餌ボウル２２６に関連するはかり２２３を含む場合がある。はかり２２３はプロセッサ２２４と通信可能に接続され得、これにより、プロセッサ２２４は、日付及び時間と関連して、給餌ボウル２２６内のペットフードの重量、及び／又は給餌ボウル２２６内のペットフードの重量変化を記録することができる。例えば、給餌ボウル２２６は、はかり２２３上に固定されて、又は取り外し可能に位置付けられてもよい。
【００６８】
[0071]給餌装置２２は、ペット１１が給餌装置２２に近づく頻度を検出する赤外線センサー２２２を含む場合があり、赤外線センサー２２２は、プロセッサ２２４と通信可能に接続され得る。プロセッサ２２４は、ペット１１がどのくらいの頻度で給餌装置２２に近づくかに基づき、食欲に関するデータを自動的に生成することができる。給餌装置２２は、プロセッサ２２４に通信可能に接続されたスピーカー２２１を含む場合があり、プロセッサ２２４はスピーカー２２１が予め録音された音声録音を再生するか、又はペットの飼い主１２の端末装置２４により着信する音声を再生するように指示することができる。
【００６９】
[0072]給餌装置２２は、リアルタイムの健康及びウェルネス測定値、食欲データ、及び餌消費データを任意の好適な時間間隔にわたり、自動的に収集することができる。例えば、リアルタイムの健康及びウェルネス測定値、食欲データ、並びに餌消費データは、毎分、又は毎時間、所定の時間にわたって収集され得る。クラウドデータベース２３は、給餌装置２２から、リアルタイムの健康及びウェルネス測定値、食欲データ、及び餌消費データを自動的に取得することができる。例えば、給餌装置２２は、リアルタイムの健康及びウェルネス測定値、食欲データ、及び餌消費データを、これらが取得されたときにクラウドデータベース２３に送信することができ、又はリアルタイムの健康及びウェルネス測定値、及び餌消費データを、後にクラウドデータベース２３へと送信するために記憶してもよい。リアルタイムの健康及びウェルネス測定値、並びに餌消費データはその後、ペットのウェルネスを判定するために、クラウドデータベース２３により統計的に分析される。クラウドデータベース２３にホスティングされるウェブサイトは、リアルタイムの健康及びウェルネス測定値、食欲データ、餌消費データ、及びクラウドデータベース２３によるその分析の結果を見るために、ペットの飼い主１２の端末装置２４によりアクセスされ得る。
【００７０】
[0073]給餌装置２２は、保存されたペットフードにペット１１がアクセスできないように、給餌ボウル２２６とは別個にペットフードを保存してもよい。給餌装置２２は、給餌装置２２内に保存されるペットフードのうちの少なくとも一部を給餌ボウル２２６へと分配する分配構造２２５を含み得る。プロセッサ２２４は、ペットフードが分配される量、及びペットフードが分配される時間を制御することによって、分配構造２２５の動作を制御することができる。
【００７１】
[0074]図３は、給餌装置２２の実施形態を概略的に例示する。上記のように、給餌装置２２は、給餌ボウル２２６、及び給餌ボウル２２６に関連するはかり２２３を含む場合がある。給餌装置２２は、保存されたペットフードにペット１１がアクセスできないように、ペットフードが給餌ボウルと別個に保存された１つ以上の容器を更に含み得る。例えば、給餌装置２２は、第１容器３０１、及び第２容器３０２を含む場合がある。容器３０１、３０２のそれぞれは、漏斗などの入口を含んでもよく、これはペットフードが、ペット１１がアクセスできない位置にある、給餌装置２２内へと位置付けられることを可能にする。
【００７２】
[0075]給餌装置２２の分配構造２２５は、容器３０１、３０２の一方に保存されるペットフードのうちの少なくとも一部を、給餌ボウル２２６内に、選択的に分配することができる。容器３０１、３０２は、標準的なペットフードなど、互いに異なる種類のペットフードを収容してもよく、ペットの飼い主１２及び／又はクラウドデータベース２３が、所与の時間にペット１１に提供されるペットフードの種類を制御することを可能にするように、それぞれ扱う。
【００７３】
[0076]例えば、分配構造２２５は、ペットの飼い主１２及び／又はクラウドデータベース２３により確立される給餌プログラムに従い、選択された容器に保存されるペットフードのうちの少なくとも一部を分配することができる。給餌プログラムは複数の給餌を指定することができ、各給餌は、日にち、時刻、容器、餌の種類、及び量のうちの少なくとも１つである給餌パラメータと関連し得る。別の実施例として、分配構造２２５は、クラウドデータベース２３から受信したコマンド、又はペットの飼い主１２の端末装置２４から受信したコマンドに応じて、選択された容器内に保存されたペットフードのうちの少なくとも一部を分配することができる。コマンドは、日にち、時間、容器、餌の種類、又は量のうちの少なくとも１つである、給餌パラメータを指定することができる。一実施形態において、端末装置２４は、クラウドデータベース２３にホスティングされるウェブサイトを使用して、分配構造２２５を制御することができる。一実施形態において、給餌装置２２は、給餌装置２２によるコマンドの受信、及び／又はペットの飼い主１２による、端末装置２４へのコマンドの入力と、実質的に同時に（例えば、３０秒以内）に、選択された容器からペットフードを分配する。更に別の実施例として、分配構造２２５は、給餌ボウル２２６内に保存されるペットフードの重量が所定の閾値に達するか、又はこれを下回るかに応じて、選択された容器に保存されるペットフードのうちの少なくとも一部を分配することができる。
【００７４】
[0077]給餌装置２２は、給餌装置２２の設定及びステータスを示すＬＣＤディスプレイなどのディスプレイを含む場合がある。例えば、ペットの飼い主１２は、例えば、給餌装置２２と一体である入力インターフェースを使用することにより、給餌装置２２に給餌プログラムのうちの少なくとも一部を手動で入力することができる。給餌装置２２は、手動で入力される給餌プログラムのパラメータを表示することができ、給餌プログラムがアクティブ化されたことを示すことができ、及び／又は給餌装置２２が動作中であることを示すことができる。
【００７５】
[0078]給餌装置２２は、カメラ３０６を含む場合があり、カメラ３０６からの写真又はビデオは、クラウドデータベース２３により受信され、クラウドデータベース２３よって記憶され、及び／又はクラウドデータベース２３によってペットの飼い主１２の末端装置２４に提供され得る。あるいは、又は加えて、給餌装置２３２は、画像又はビデオを末端装置２４へと送信することができる。カメラ３０６は、末端装置２４からのコマンドに応じて画像又はビデオをキャプチャすることができる。一実施形態において、給餌装置３０６は、給餌装置２２によるコマンドの受信、及び／又はペットの飼い主１２による、端末装置２４へのコマンドの入力と、実質的に同時に（例えば、３０秒以内に）、画像又はビデオをキャプチャする。コマンドは、端末装置２４から給餌装置２２に直接送信されるか、又はクラウドデータベース２３を介して給餌装置２２へと間接的に送信され得る。一実施形態において、カメラ３０６は、赤外線センサー２２２によるペット１１の存在の検出に応じて、画像又はビデオを自動的にキャプチャすることができる。
【００７６】
[0079]図４は、クラウドデータベース２３にホスティングされ、端子装置２４によりアクセス可能である、ウェブサイト４００の実施形態を例示する。ウェブサイト４００は、給餌装置２２のステータス、リアルタイムの健康及びウェルネス測定値、食欲データ、餌消費データ、及びクラウドデータベース２３によるその分析の結果を表示することができる。ウェブサイト４００は、センサー２３により判定される、ペット１１が移動した距離から生成される、ペットの活動プロファイルを表示することができる。一実施形態において、ウェブサイト４００は、ペット１１と同じ種類のペットである、他のペットの、健康及びウェルネス測定値、食欲データ、及び／又は餌消費データのうちの少なくとも一部を使用することができる。
【００７７】
[0080]ウェブサイト４００は、末端装置２４が、給餌装置２２の動作を制御することを可能にする場合がある。例えば、ウェブサイト４００は、端末装置２４がペットフードの分配を指示するコマンドを入力し、このコマンドに応じて、クラウドデータベース２３は、給餌装置２２に対応するメッセージを送信することができるようにする場合がある。給餌装置２２は、クラウドデータベースからのメッセージに応じて選択された容器からある量のペットフードを分配することができる。別の実施例として、ウェブサイト４００は、クラウドデータベース２４が、カスタマイズされた給餌プログラムを生成、及び／又は先に確立された給餌プログラムを調節することができるようにする場合がある。給餌プログラムは複数の給餌を指定することができ、各給餌は、日にち、時刻、容器、餌の種類、又は量のうちの少なくとも１つである給餌パラメータと関連し得る。
【００７８】
[0081]一実施形態において、ウェブサイト４００は、装置ステータスウィンドー４０１を含む場合がある。装置ステータスウィンドー４０１は、給餌装置２２が動作中であるかどうかを示すことができ、図４に示されるように、装置ステータスウィンドー４０１は、色に基づいてステータスを特定し得る、円などのアイコンを有する場合がある。例えば、給餌装置２２がオフラインである場合は灰色であり得、給餌装置２２がオンラインであるときは緑色であり得、リモートでプログラミング及び／又は制御することができる。装置ステータスウィンドー４０１は、はかり２２３により判定される、給餌ボウル２２６内のペットフードの現在の重量を示すことができる。装置ステータスウィンドー４０１は、はかり２２３により判定される、給餌ボウル２２６内のペットフードの重量の直近の変化により示される、ペット１１が直近の食べた日にち及び時刻を特定することができる。
【００７９】
[0082]一実施形態において、ウェブサイト４００は、音声制御装置４０３を含み得る。音声制御装置４０３は、予め録音された音声録音のリストを含む場合があり、ペットの飼い主１２は、端末装置２４を使用して予め録音された音声録音の１つを選択することができる。給餌装置２４は、ペットの飼い主１２が端末装置２４を使用してウェブサイト４００により提示される「送信」アイコンを選択するときに、スピーカー２２１を使用して、選択された音声録音を再生することができる。給餌装置２４は、ペットの飼い主１２が「送信」アイコンを選択するのと実質的に同時に（例えば、３０秒以内）、選択された音声録音を再生することができる。
【００８０】
[0083]ウェブサイト４００は、給餌装置２２のカメラ３０６によってキャプチャされる画像又はビデオを表示する、視覚ウィンドー４０４を含む場合がある。カメラ３０６は、ペットの飼い主１２が端末装置２４を使用して、ウェブサイト４００により提示される「新しく撮る」アイコンを選択することに応じて、新しい画像又はビデオをキャプチャすることができる。ウェブサイト４００は、クラウドデータベース２３に記憶された、ペットの飼い主１２が前にキャプチャした画像又はビデオを見ることを可能にし得る。
【００８１】
[0084]ウェブサイト４００は、テキスト４０２として、餌消費データを表示することができる。例えば、餌消費テキスト４０２は、消費の日付及び／又は時間、並びに毎回消費されたペットフードの量を掲示することができる。加えて、又は代わりに、ウェブサイト４００は、グラフ４０２として、餌消費データを表示することができる。例えば、餌消費グラフ４０２は、消費日付及び／又は時間をｘ軸として、毎回消費されたペットフードの量をｙ軸として有することができる。
【００８２】
[0085]ウェブサイト４００は、食欲データをテキスト４０７として表示することができる。例えば、食欲テキスト４０７は、ペット１１が給餌装置２２に近づく回数、毎回近づく間に給餌装置２２の側で過ごす時間を掲示することができる。別の実施例として、食欲テキスト４０７は、所定の期間にわたる各日で、ペット１１が給餌装置２２の近くで費やす時間を掲示することができる。加えて、又は代わりに、ウェブサイト４００は、グラフ４０６として、食欲データを表示することができる。例えば、食欲グラフ４０６は、ペット１１が給餌装置２２に近づく時間をｘ軸として、及び毎回近づく間に給餌装置２２の側で過ごす時間を掲示することができる。別の実施例として、食欲グラフ４０６は、日付をｘ軸として、及び毎日の給餌装置２２のそばで費やされる時間をｙ軸として有することができる。
【００８３】
[0086]別の態様において、本開示は、リモートでペットを監視し、給餌する方法を提示する。方法は、ペットフード消費をローカルで自動的に測定する工程と、ペットの体調、及び移動量など、リアルタイムのペットの健康及びウェルネス測定値を自動的に取得する工程と、ペットフード消費データ及びリアルタイム健康及びウェルネス測定値を遠隔地へと送信する工程とを含む。一実施形態において、方法は、ペットが給餌ボウルに近づく回数など、食欲データをローカルで自動的に取得する工程と、食欲データを遠隔地に送信する工程とを含む。一実施形態において、方法は、リアルタイムのペットの健康及びウェルネス測定値を遠隔地に送信する工程を含む。
【００８４】
[0087]ペットフード消費データ、食欲データ、及び／又はリアルタイムの健康及びウェルネス測定値が遠隔地で分析されてもよい。遠隔地で記憶された分析及び／又は科学的情報に基づいて、給餌の提案及び／又はカスタマイズされた給餌プログラムが生成されてもよい。リアルタイムの健康及びウェルネス測定値、食欲データ、餌消費データ、及びその分析の結果のうちの少なくとも一部が、例えば、端末装置によりアクセス可能なウェブサイトによってペットの飼い主の端末装置に提示され得る。一実施形態において、端末装置は、ペットのローカルでの給餌を制御するために、コマンド及び／又は問い合わせをウェブサイトに入力することができる。一実施形態において、方法は、ローカルで取得される、リアルタイムの健康及びウェルネス測定値、食欲データ、及び餌消費データのうちの少なくとも一部を、ペットの飼い主の端末装置に直接送信する工程を含む。
【００８５】
[0088]本明細書に記載の現在好ましい実施形態に対する種々の変更及び修正が当業者に明らかであることは理解すべきである。本発明の主題の趣旨及び範囲から逸脱することなく、その意図される利点を損なうことなく、そのような変更及び修正を行うことができる。そのため、そのような変更及び修正は添付の特許請求の範囲に包含されることが意図される。
【図１】
0006438476.tif 000002
【図２】
0006438476.tif 000003
【図３】
0006438476.tif 000004
【図４】
0006438476.tif 000005